(57)【要約】      （修正有）【課題】ＩＰ無線アプリケーション以外の機能アプリケーションを動作させている最中であっても、他のＩＰ無線装置からの発呼に対して確実に着呼することが可能なＩＰ無線装置及びＩＰ無線方法を提供する。【解決手段】ＩＰ無線音声受付部２０３は、機能アプリケーションの動作中に、他のＩＰ無線装置からの音声データの受信を受け付ける。ＩＰ無線音声再生部２０４は、他のＩＰ無線装置から音声データを着呼として受信すると、当該音声データの再生を開始する。ＩＰ無線切替要求部２０５は、ＩＰ無線装置のＯＳに対して、ＩＰ無線アプリケーションの切り替えを要求する。ＩＰ無線アプリ切替部２０６は、ＩＰ無線アプリケーションのＡｃｔｉｖｉｔｙをフォアグラウンド状態にして、ＩＰ無線通話用画面を全面に表示させるとともに、機能アプリケーションのＡｃｔｉｖｉｔｙをフォアグラウンド状態からバックグラウンド状態にする。【選択図】図２
2017195476.tif 000002
【特許請求の範囲】
【請求項１】
ネットワークを介して他のＩＰ無線装置とＩＰ無線通話するＩＰ無線アプリケーションと、特定の機能を実行する機能アプリケーションとを備えたＩＰ無線装置であって、
前記ＩＰ無線装置のＯＳにおいて、前記機能アプリケーションが選択されると、前記機能アプリケーションのユーザインタフェイスに係る処理を実行するＡｃｔｉｖｉｔｙをフォアグラウンド状態にして、機能用画面を全面に表示させ、前記機能アプリケーションの内部処理を実行するＳｅｒｖｉｃｅを動作させて、当該機能アプリケーションの機能を実行させる機能アプリ動作部と、
前記ＩＰ無線アプリケーションのＳｅｒｖｉｃｅにおいて、前記機能アプリケーションの動作中に、他のＩＰ無線装置からの音声データの受信を受け付けるＩＰ無線音声受付部と、
前記ＩＰ無線アプリケーションのＳｅｒｖｉｃｅにおいて、他のＩＰ無線装置から音声データを着呼として受信すると、当該音声データの再生を開始するＩＰ無線音声再生部と、
前記ＩＰ無線アプリケーションのＳｅｒｖｉｃｅにおいて、前記音声データの再生が開始すると、前記ＩＰ無線装置のＯＳに対して、前記ＩＰ無線アプリケーションへの切り替えを要求するＩＰ無線切替要求部と、
前記ＩＰ無線装置のＯＳにおいて、前記要求を受け付けると、前記ＩＰ無線アプリケーションのＡｃｔｉｖｉｔｙをフォアグラウンド状態にして、前記他のＩＰ無線装置の送信元を反映したＩＰ無線通話用画面を全面に表示させるとともに、前記機能アプリケーションのＡｃｔｉｖｉｔｙをフォアグラウンド状態からバックグラウンド状態にするＩＰ無線アプリ切替部と、
を備えることを特徴とするＩＰ無線装置。
【請求項２】
前記ＩＰ無線アプリ切替部は、前記ＩＰ無線アプリケーションのＡｃｔｉｖｉｔｙをフォアグラウンド状態に切り替えるとともに、前記機能アプリケーションのＡｃｔｉｖｉｔｙをフォアグラウンド状態からバックグラウンド状態にした場合、前記切り替え時点から特定の時間まで前記ＩＰ無線アプリケーションのＡｃｔｉｖｉｔｙのフォアグラウンド状態を維持し、前記特定の時間経過後に、前記機能アプリケーションのＡｃｔｉｖｉｔｙをバックグラウンド状態からフォアグラウンド状態に切り替え、前記ＩＰ無線アプリケーションのＡｃｔｉｖｉｔｙをフォアグラウンド状態からバックグラウンド状態にする
請求項１に記載のＩＰ無線装置。
【請求項３】
前記ＩＰ無線装置の電源が投入されると、前記ＩＰ無線装置のＯＳにおいて、前記ＩＰ無線アプリケーションのＳｅｒｖｉｃｅを動作させて、他のＩＰ無線装置からの音声データの受信を受け付けるＩＰ無線アプリ動作部
を更に備える
請求項１又は２に記載のＩＰ無線装置。
【請求項４】
ネットワークを介して他のＩＰ無線装置とＩＰ無線通話するＩＰ無線アプリケーションと、特定の機能を実行する機能アプリケーションとを備えたＩＰ無線装置のＩＰ無線方法であって、
前記ＩＰ無線装置のＯＳにおいて、前記機能アプリケーションが選択されると、前記機能アプリケーションのＡｃｔｉｖｉｔｙをフォアグラウンド状態にして、機能用画面を全面に表示させ、前記機能アプリケーションのＳｅｒｖｉｃｅを動作させて、当該機能アプリケーションの機能を実行させる機能アプリ動作ステップと、
前記ＩＰ無線アプリケーションのＳｅｒｖｉｃｅにおいて、前記機能アプリケーションの動作中に、他のＩＰ無線装置からの音声データの受信を受け付けるＩＰ無線音声受付ステップと、
前記ＩＰ無線アプリケーションのＳｅｒｖｉｃｅにおいて、他のＩＰ無線装置から音声データを着呼として受信すると、当該音声データの再生を開始するＩＰ無線音声再生ステップと、
前記ＩＰ無線アプリケーションのＳｅｒｖｉｃｅにおいて、前記音声データの再生が開始すると、前記ＩＰ無線装置のＯＳに対して、前記ＩＰ無線アプリケーションへの切り替えを要求するＩＰ無線切替要求ステップと、
前記ＩＰ無線装置のＯＳにおいて、前記要求を受け付けると、前記ＩＰ無線アプリケーションのＡｃｔｉｖｉｔｙをフォアグラウンド状態にして、前記他のＩＰ無線装置の送信元を反映したＩＰ無線通話用画面を全面に表示させるとともに、前記機能アプリケーションのＡｃｔｉｖｉｔｙをフォアグラウンド状態からバックグラウンド状態にするＩＰ無線アプリ切替ステップと、
を備えることを特徴とするＩＰ無線方法。
【発明の詳細な説明】
【技術分野】
【０００１】
本発明は、ＩＰ無線装置及びＩＰ無線方法に関する。
【背景技術】
【０００２】
ＩＰ（Ｉｎｔｅｒｎｅｔ  Ｐｒｏｔｏｃｏｌ）無線装置は、携帯電話網（例えば、３Ｇ回線、ＬＴＥ等）のデータ通信機能を利用して、音声データをＶｏＩＰ（Ｖｏｉｃｅ  ｏｖｅｒ  Ｉｎｔｅｒｎｅｔ  Ｐｒｏｔｏｃｏｌ）化して伝送する移動体通信装置を言う。
【０００３】
従来より、ＩＰ無線装置に関する技術は多数存在する。例えば、特開平５−３１６０２５号公報（特許文献１）には、子機がセルラーモードで動作している場合、発呼者にセルラー番号にかけ直すように促す無線電話装置が開示されている。
【０００４】
又、特開平１１−３１７９８１号公報（特許文献２）には、公衆基地局を通して通信を行う公衆モードと、構内の親機を通して通信を行う構内モードとを有するコードレス電話装置において、構内モードで発呼した場合に、構内の親機がビジーのときには、公衆モードにより使用できるようにし、利用効率を改善するコードレス電話装置が開示されている。
【０００５】
特開２００３−２７４４３８号公報（特許文献３）には、無線端末装置が通話中に移動した際に、ハンドオーバーによる通話断を防止する、ＩＰパケットを用いたＩＰ無線電話システムが開示されている。
【０００６】
国際公開ＷＯ２００５／１２５２５８（特許文献４）には、着呼できる確率を大幅に向上させることができ、かつ、回線交換装置の負荷を低減することができる無線端末装置が開示されている。
【０００７】
特開２００７−２３５４４２号公報（特許文献５）には、ＩＰ内線電話機能を備える無線ＩＰ電話機において、利用しようとするアクセスポイントが混雑している場合であっても、より容易に且つ適切に必要な連絡をとることが出来る無線ＩＰ電話制御システムが開示されている。
【先行技術文献】
【特許文献】
【０００８】
【特許文献１】特開平５−３１６０２５号公報
【特許文献２】特開平１１−３１７９８１号公報
【特許文献３】特開２００３−２７４４３８号公報
【特許文献４】国際公開ＷＯ２００５／１２５２５８
【特許文献５】特開２００７−２３５４４２号公報
【発明の概要】
【発明が解決しようとする課題】
【０００９】
近年、ＩＰ無線装置では、ＩＰ無線装置に搭載されるＯＳ（Ｏｐｅｒａｔｉｎｇ  Ｓｙｓｔｅｍ）の最新化に伴い、多様なアプリケーションをダウンロード出来るようになってきている。この機能アプリケーションは、ＩＰ無線装置の本来の機能であるＩＰ無線通話の他に、特定の機能、例えば、メール送受信、マニュアル表示等を実現するように構成することが可能である。そのため、一つのＩＰ無線装置に、ＩＰ無線通話専用にＩＰ無線アプリケーションと、他の機能アプリケーションとをダウンロードすることで、複数の機能を搭載し、同時に複数の機能を実行することが可能となってきている。
【００１０】
一方、ＩＰ無線通話の機能を他の機能と同じようにアプリケーションで搭載すると、ＩＰ無線アプリケーションと他の機能アプリケーションとが同等（同位）となるため、ＩＰ無線装置の本来の機能が適切に働かない可能性がある。
【００１１】
例えば、ユーザがＩＰ無線装置で特定の機能アプリケーションを動作させている最中に、当該ＩＰ無線装置が他のＩＰ無線装置から発呼を受けた場合、特定の機能アプリケーションが先に優先して動作していることから、ＩＰ無線アプリケーションの動作が有効に動作しない場合がある。仮に、発呼が緊急用である場合、ユーザが他の機能アプリケーションを動作していることで、緊急の発呼を見逃してしまう可能性がある。そのため、他の機能アプリケーションとともに、ＩＰ無線アプリケーションを搭載する場合には、必要な時にＩＰ無線アプリケーションが動作するように工夫をする必要がある。
【００１２】
そこで、本発明は、前記課題を解決するためになされたものであり、ＩＰ無線アプリケーション以外の機能アプリケーションを動作させている最中であっても、他のＩＰ無線装置からの発呼に対して確実に着呼することが可能なＩＰ無線装置及びＩＰ無線方法を提供することを目的とする。
【課題を解決するための手段】
【００１３】
本発明者は、鋭意研究を重ねた結果、本発明に係る新規なＩＰ無線装置及びＩＰ無線方法を完成させた。即ち、本発明に係るＩＰ無線装置は、ネットワークを介して他のＩＰ無線装置とＩＰ無線通話するＩＰ無線アプリケーションと、特定の機能を実行する機能アプリケーションとを備えたＩＰ無線装置であって、機能アプリ動作部と、ＩＰ無線音声受付部と、ＩＰ無線音声再生部と、ＩＰ無線切替要求部と、ＩＰ無線アプリ切替部と、を備える。機能アプリ動作部は、前記ＩＰ無線装置のＯＳにおいて、前記機能アプリケーションが選択されると、前記機能アプリケーションのユーザインタフェイスに係る処理を実行するＡｃｔｉｖｉｔｙをフォアグラウンド状態にして、機能用画面を全面に表示させ、前記機能アプリケーションの内部処理を実行するＳｅｒｖｉｃｅを動作させて、当該機能アプリケーションの機能を実行させる。ＩＰ無線音声受付部は、前記ＩＰ無線アプリケーションのＳｅｒｖｉｃｅにおいて、前記機能アプリケーションの動作中に、他のＩＰ無線装置からの音声データの受信を受け付ける。ＩＰ無線音声再生部は、前記ＩＰ無線アプリケーションのＳｅｒｖｉｃｅにおいて、他のＩＰ無線装置から音声データを着呼として受信すると、当該音声データの再生を開始する。ＩＰ無線切替要求部は、前記ＩＰ無線アプリケーションのＳｅｒｖｉｃｅにおいて、前記音声データの再生が開始すると、前記ＩＰ無線装置のＯＳに対して、前記ＩＰ無線アプリケーションへの切り替えを要求する。ＩＰ無線アプリ切替部は、前記ＩＰ無線装置のＯＳにおいて、前記要求を受け付けると、前記ＩＰ無線アプリケーションのＡｃｔｉｖｉｔｙをフォアグラウンド状態にして、前記他のＩＰ無線装置の送信元を反映したＩＰ無線通話用画面を全面に表示させるとともに、前記機能アプリケーションのＡｃｔｉｖｉｔｙをフォアグラウンド状態からバックグラウンド状態にする。
【００１４】
本発明に係るＩＰ無線方法は、ネットワークを介して他のＩＰ無線装置とＩＰ無線通話するＩＰ無線アプリケーションと、特定の機能を実行する機能アプリケーションとを備えたＩＰ無線装置のＩＰ無線方法であって、機能アプリ動作ステップと、ＩＰ無線音声受付ステップと、ＩＰ無線音声再生ステップと、ＩＰ無線切替要求ステップと、ＩＰ無線アプリ切替ステップと、を備える。機能アプリ動作ステップは、前記ＩＰ無線装置のＯＳにおいて、前記機能アプリケーションが選択されると、前記機能アプリケーションのユーザインタフェイスに係る処理を実行するＡｃｔｉｖｉｔｙをフォアグラウンド状態にして、機能用画面を全面に表示させ、前記機能アプリケーションの内部処理を実行するＳｅｒｖｉｃｅを動作させて、当該機能アプリケーションの機能を実行させる。ＩＰ無線音声受付ステップは、前記ＩＰ無線アプリケーションのＳｅｒｖｉｃｅにおいて、前記機能アプリケーションの動作中に、他のＩＰ無線装置からの音声データの受信を受け付ける。ＩＰ無線音声再生ステップは、前記ＩＰ無線アプリケーションのＳｅｒｖｉｃｅにおいて、他のＩＰ無線装置から音声データを着呼として受信すると、当該音声データの再生を開始する。ＩＰ無線切替要求ステップは、前記ＩＰ無線アプリケーションのＳｅｒｖｉｃｅにおいて、前記音声データの再生が開始すると、前記ＩＰ無線装置のＯＳに対して、前記ＩＰ無線アプリケーションへの切り替えを要求する。ＩＰ無線アプリ切替ステップは、前記ＩＰ無線装置のＯＳにおいて、前記要求を受け付けると、前記ＩＰ無線アプリケーションのＡｃｔｉｖｉｔｙをフォアグラウンド状態にして、前記他のＩＰ無線装置の送信元を反映したＩＰ無線通話用画面を全面に表示させるとともに、前記機能アプリケーションのＡｃｔｉｖｉｔｙをフォアグラウンド状態からバックグラウンド状態にする。
【発明の効果】
【００１５】
本発明によれば、ＩＰ無線アプリケーション以外の機能アプリケーションを動作させている最中であっても、他のＩＰ無線装置からの発呼信号に対して確実に着呼することが可能となる。
【図面の簡単な説明】
【００１６】
【図１】本発明に係るＩＰ無線装置を含むシステムの一例を示す概略図である。
【図２】本発明に係るＩＰ無線装置の機能ブロック図である。
【図３】本発明に係るＩＰ無線方法の実行手順を示すためのフローチャートである。
【図４】本発明に係るＩＰ無線通話用画面及び機能選択用画面の一例を示す図（図４Ａ）と、本発明に係るメール送受信用画面の一例を示す図（図４Ｂ）とである。
【図５】本発明に係るＩＰ無線装置の二つの機能アプリケーションの動作の一例を示す模式図（図５Ａ）と、と、本発明に係るメール送受信用画面からＩＰ無線通話用画面に切り替わる場合の一例を示す図（図５Ｂ）とである。
【図６】本発明に係るＩＰ無線通話用画面、個別宛先設定画面、ＩＰ無線通話用画面の切り替わりの一例を示す図（図６Ａ）と、本発明に係るグループ設定画面、ＩＰ無線通話用画面の切り替わりの一例を示す図（図６Ｂ）とである。
【図７】本発明に係るＩＰ無線装置が一斉通話を受けた場合のＩＰ無線通話用画面の切り替わりの一例を示す図（図７Ａ）と、本発明に係るＩＰ無線装置が緊急通話を受けた場合のＩＰ無線通話用画面の切り替わりの一例を示す図（図７Ｂ）とである。
【図８】本発明に係るＩＰ無線装置の二つの機能アプリケーションの動作の一例を示す模式図（図８Ａ）と、本発明に係るＩＰ無線通話用画面からメール送受信用画面に切り替わる場合の一例を示す図（図８Ｂ）とである。
【図９】本発明に係るＩＰ無線装置の三つの機能アプリケーションの動作の一例を示す模式図（図９Ａ）と、本発明に係るホーム画面、メール送受信用画面、ＩＰ無線通話用画面の切り替わりの一例を示す図（図９Ｂ）とである。
【発明を実施するための形態】
【００１７】
以下に、添付図面を参照して、本発明の実施形態について説明し、本発明の理解に供する。尚、以下の実施形態は、本発明を具体化した一例であって、本発明の技術的範囲を限定する性格のものではない。
【００１８】
本発明に係るＩＰ無線装置１０は、ネットワーク１１を介してサーバ１２と通信可能に接続されている。ここで、ＩＰ無線装置１０は、例えば、携帯電話、タッチパネル付きの携帯端末装置（スマートフォン）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、タブレット型端末装置等である。
【００１９】
ＩＰ無線装置１０は、ＩＰ無線アプリケーションのソフトウェアに基づき、ＩＰ無線の機能を実現するが、ハードウェアによりＩＰ無線の機能を実現しても構わない。又、ＩＰ無線装置１０は、画面を表示する表示部と、ユーザの操作により所定の指示の入力を受け付ける受付部（入力部）と、アプリケーションの起動や終了を制御する制御部とを備えている。ＩＰ無線装置１０が、スマートフォンの場合、タッチパネルが表示受付部として機能する。
【００２０】
ここで、ＩＰ無線装置１０の制御部（ＯＳ）は、例えば、Ａｎｄｒｏｉｄ（登録商標）である（以下、「モバイルＯＳ」と称する）。モバイルＯＳの場合、アプリケーションは、ユーザインタフェイスに係る処理を実行するＡｃｔｉｖｉｔｙと、内部処理を実行するＳｅｒｖｉｃｅとを備える。アプリケーションは、ＡｃｔｉｖｉｔｙとＳｅｒｖｉｃｅとで分離して実装されており、モバイルＯＳ上では、別個独立に動作する。例えば、Ａｃｔｉｖｉｔｙの動作により、画面が全面に表示される状態をフォアグラウンド状態（ＦＧ状態）と称する。一方、Ａｃｔｉｖｉｔｙの動作の休止又は中止により、画面の表示が隠れた状態をバックグラウンド状態（ＢＧ状態）と称する。Ｓｅｒｖｉｃｅは、Ａｃｔｉｖｉｔｙの動作と無関係に、常時動作可能である。
【００２１】
ＩＰ無線装置１０には、ＩＰ無線通話をするためのＩＰ無線アプリケーションと、ＩＰ無線通話以外の特定の機能を実行するための機能アプリケーションとが予めダウンロードされている。
【００２２】
ネットワーク１１は、基地局１１ａを介したＷＡＮ（Ｗｉｄｅ  Ａｒｅａ  Ｎｅｔｗｏｒｋ）、アクセスポイント１１ｂを介したＬＡＮ（Ｌｏｃａｌ  Ａｒｅａ  Ｎｅｔｗｏｒｋ）を含む。ＷＡＮは、例えば、３Ｇ（３ｒｄ  Ｇｅｎｅｒａｔｉｏｎ）、ＬＴＥ（Ｌｏｎｇ  Ｔｅｒｍ  Ｅｖｏｌｕｔｉｏｎ）等であり、ＬＡＮは、例えば、ＷｉＦｉ（Ｗｉｒｅｌｅｓｓ  Ｆｉｄｅｌｉｔｙ）を含む。ＷＡＮの通信周波数は、例えば、Ｗ−ＣＤＭＡ、８００ＭＨｚ、２１００ＭＨｚを採用している。
【００２３】
又、サーバ１２は、複数のＩＰ無線装置１０の間における音声データの送受信、制御、監視を行う。サーバ１２は、ネットワーク１１を介して、一方のＩＰ無線装置１０から送信された、特定の宛先に対する音声データを受信すると、当該特定の宛先に対応する他方のＩＰ無線装置１０の送信先を指定し、ネットワーク１１を介して当該音声データを当該送信先の他方のＩＰ無線装置１０に送信する。他方のＩＰ無線装置１０が音声データを受信すれば、音声データを再生する。
【００２４】
ここで、前記宛先が、複数の宛先から構成されるグループ（例えば、「グループ０１」）の場合には、サーバ１２は、グループに紐付けされた複数の宛先にそれぞれ対応するＩＰ無線装置１０に前記音声データを一斉送信する。この場合には、他のグループ（例えば、「グループ０２」、「グループ０３」等）のＩＰ無線装置１０には、音声データが送信されない。又、ＩＰ無線装置１０から緊急で音声データがサーバ１２に送信された場合には、サーバ１２は、予め登録されている全ての宛先（又は全てのグループ）のＩＰ無線装置１０に前記音声データをそれぞれ一斉送信する。この場合、ＩＰ無線装置１０が前記音声データを受信すると、アラームを鳴らすとともに、当該音声データを再生する。このように、複数のＩＰ無線装置１０の間で音声データの送受信がなされる。サーバ１２の管理は、例えば、仮想移動体サービス事業者（ＭＶＮＯ：Ｍｏｂｉｌｅ  Ｖｉｒｔｕａｌ  Ｎｅｔｗｏｒｋ  Ｏｐｅｒａｔｏｒ）等により行われる。
【００２５】
ＩＰ無線装置１０、サーバ１２は、図示しないＣＰＵ、ＲＯＭ、ＲＡＭ、ＳＳＤ等を内蔵しており、ＣＰＵは、例えば、ＲＡＭを作業領域として利用し、ＲＯＭ、ＳＳＤ等に記憶されているプログラムを実行する。又、後述する各部についても、ＣＰＵがプログラムを実行することで当該各部を実現する。
【００２６】
次に、図２、図３を参照しながら、本発明の実施形態に係る構成及び実行手順について説明する。先ず、ユーザが自分のＩＰ無線装置１０に電源を入れると、ＩＰ無線装置１０のモバイルＯＳが、予め登録された初期アプリケーションを動作する。
【００２７】
ここで、初期アプリケーションに特に限定は無いが、ＩＰ無線装置１０がＩＰ無線通話の専用端末である場合には、初期アプリケーションとしてＩＰ無線アプリケーションが登録される。後述するように、初期アプリケーションは、ホーム画面制御アプリケーション（ランチャー）とされる場合もある。
【００２８】
モバイルＯＳのＩＰ無線アプリ動作部２０１が、初期アプリケーションのＩＰ無線アプリケーションを動作し（図３：Ｓ１０１）、ＩＰ無線アプリケーションのユーザインタフェイスに係る処理を実行するＡｃｔｉｖｉｔｙをフォアグラウンド状態にして、ＩＰ無線通話用画面を全面に表示させる。ここで、全面表示とは、表示される画面のみ表示され、他の画面は表示されないことを意味する。
【００２９】
ここで、ＩＰ無線装置１０がタッチパネル付きの携帯端末装置の場合、前記ＩＰ無線アプリケーションのＡｃｔｉｖｉｔｙが、タッチパネル上に画面を表示する。ＩＰ無線装置１０がタッチパネル無しの携帯端末装置の場合、前記ＩＰ無線アプリケーションのＡｃｔｉｖｉｔｙが、携帯端末装置の液晶ディスプレイ上に画面を表示する。
【００３０】
ＩＰ無線通話用画面４００には、図４Ａに示すように、「個別」キー４０１と、「グループ」キー４０２と、「アプリ」キー４０３と、音量表示４０４と、ステータス表示４０５とが表示される。「個別」キー４０１は、特定のＩＰ無線装置１０と通話をするためのキーであり、「グループ」キー４０２は、複数のＩＰ無線装置１０から構成される特定のグループと通話するためのキーである。「アプリ」キー４０３は、ＩＰ無線アプリケーションと異なる機能アプリケーションを選択するためのキーであり、音量表示４０４は、スピーカーの音量を示す。ステータス表示４０５は、ＩＰ無線装置１０の通話状況を示し、例えば、初期設定が「グループ０１」と通話可能な状態である場合は、「グループ０１  待機中」を示す。尚、ＩＰ無線装置１０がタッチパネル無しの携帯端末装置の場合、上述のキーは、当該携帯端末装置に予め設けられる。
【００３１】
更に、ＩＰ無線アプリ動作部２０１が、ＩＰ無線アプリケーションの内部処理を実行するＳｅｒｖｉｃｅを動作させて、他のＩＰ無線装置からの音声データの受信及び他のＩＰ無線装置への音声データの発信を受け付ける。
【００３２】
ＩＰ無線アプリ動作部２０１は、ＩＰ無線アプリケーションのＡｃｔｉｖｉｔｙでユーザのキー操作を受け付けると、モバイルＯＳのカーネルにあるＢｉｎｄｅｒ  Ｄｒｉｖｅｒを介して、キー操作に対応する指示をＩＰ無線アプリケーションのＳｅｒｖｉｃｅに送信し、ＩＰ無線アプリケーションのＳｅｒｖｉｃｅで前記指示に対応する内部処理を実行させる。そして、ＩＰ無線アプリ動作部２０１は、ＩＰ無線アプリケーションのＳｅｒｖｉｃｅによる実行結果を、ＩＰ無線アプリケーションのＡｃｔｉｖｉｔｙに返し、ＩＰ無線アプリケーションのＡｃｔｉｖｉｔｙで、実行結果に基づいたＩＰ無線通話用画面４００の表示を行う。後述するように、機能アプリケーションの動作であっても同様である。
【００３３】
ここで、ユーザは、ＩＰ無線通話用画面４００の「アプリ」キー４０３を選択すると、ＩＰ無線アプリ動作部２０１が、ＩＰ無線アプリケーションのＡｃｔｉｖｉｔｙで「アプリ」キー４０３の選択指示を受け付け、機能選択用画面を全面に表示する。
【００３４】
機能選択用画面４０６には、図４Ａに示すように、例えば、ＩＰ無線アプリケーション用のアイコン４０７と、メール送受信機能アプリケーション（メールアプリケーション）用のアイコン４０８とが表示される。表示されるアイコンは、ＩＰ無線装置１０に予めダウンロードされたアプリケーションに対応する。
【００３５】
ユーザが、機能選択用画面４０６を見ながら、メールアプリケーション用のアイコン４０８を選択すると（図３：Ｓ１０２ＹＥＳ）、ＩＰ無線アプリ動作部２０１が、当該アイコン４０８に対応するメールアプリケーションの選択を受け付け、モバイルＯＳの機能アプリ動作部２０２が、メールアプリケーションを動作する（図３：Ｓ１０３）。
【００３６】
具体的には、機能アプリ動作部２０２が、メールアプリケーションのＡｃｔｉｖｉｔｙをフォアグラウンド状態にして、メール送受信用画面を全面に表示するとともに、メールアプリケーションのＳｅｒｖｉｃｅを動作させて、メール送受信の機能を実行させる。
【００３７】
メール送受信用画面４０９には、図４Ｂに示すように、送信先入力欄４１０と、宛先入力欄４１１と、件名４１２と、メールの内容４１３と、キーボードキー４１４とが表示される。これにより、ユーザがキーボードキー４１４を用いてメールを作成し送信することが出来る。
【００３８】
ここで、ユーザの操作により、ＩＰ無線アプリケーションから機能アプリケーションへ動作が切り替わると、当該機能アプリケーションのＡｃｔｉｖｉｔｙが、フォアグラウンド状態となり、その結果、ＩＰ無線アプリケーションのＡｃｔｉｖｉｔｙが、バックグラウンド状態となり、ＩＰ無線通話用画面の表示を隠す。一方、ＩＰ無線アプリケーションのＳｅｒｖｉｃｅにおいて、ＩＰ無線音声受付部２０３は、メールアプリケーションの動作中に、他のＩＰ無線装置からの音声データの受信を受け付ける（図３：Ｓ１０４）。つまり、ＩＰ無線アプリケーションのＳｅｒｖｉｃｅは常時動作する。
【００３９】
ここで、アプリケーションのＡｃｔｉｖｉｔｙの状態を模式的に示すと、図５Ａに示すように、ＩＰ無線通話用画面４００が全面に表示される場合には、ＩＰ無線アプリ動作部２０１は、ＩＰ無線アプリケーションのＡｃｔｉｖｉｔｙをフォアグラウンド状態とする（ＦＧ状態）。次に、第一の時点Ｔ１において、ユーザの選択により、メールアプリケーションが起動し、メール送受信用画面４０９が全面に表示される場合には、機能アプリ動作部２０２は、メールアプリケーションのＡｃｔｉｖｉｔｙをフォアグラウンド状態とし（ＦＧ状態）、ＩＰ無線アプリ動作部２０１は、ＩＰ無線アプリケーションのＡｃｔｉｖｉｔｙをバックグラウンド状態とする（ＢＧ状態）。
【００４０】
ユーザは、メール送受信用画面４０９を見ながら、メールアプリケーションを終了することなく（図３：Ｓ１０５ＮＯ）、図５Ｂに示すように、例えば、送信先入力欄４１０に「ＡＢＣ＠ｄｅｆ」を、宛先入力欄４１１に「ＤＥＦ＠ｇｈｉ」を、件名４１２に「ｇｈｉｊｌ」を、メールの内容４１３に「ｍｎｏｐｑ」をそれぞれ入力する。
【００４１】
すると、機能アプリ動作部２０２が、メールアプリケーションのＡｃｔｉｖｉｔｙでユーザのキー入力を受け付け、メールアプリケーションのＳｅｒｖｉｃｅにキー入力に対応する内部処理を実行させる。メールアプリケーションのＳｅｒｖｉｃｅはユーザによるキー入力を一時記憶する。そして、機能アプリ動作部２０２は、メールアプリケーションのＳｅｒｖｉｃｅによる実行結果を、メールアプリケーションのＡｃｔｉｖｉｔｙに返し、ユーザのキー入力に対応してメール送受信用画面４０９の表示を変更する。
【００４２】
ここで、ユーザがメール作成中に、「グループ０１」に属する他のユーザが他のＩＰ無線装置１０でＩＰ無線装置１０へ音声データを発呼として送信した場合、サーバ１２が、他のＩＰ無線装置１０からの音声データをＩＰ無線装置１０に送信する。すると、ＩＰ無線アプリケーションのＳｅｒｖｉｃｅにおいて、ＩＰ無線音声受付部２０３は、他のＩＰ無線装置１０からの音声データを着呼として受信する（図３：Ｓ１０６ＹＥＳ）。
【００４３】
そして、ＩＰ無線アプリケーションのＳｅｒｖｉｃｅにおいて、ＩＰ無線音声再生部２０４は、ＩＰ無線音声受付部２０３による音声データの受信に基づいて、当該音声データの再生を開始する（図３：Ｓ１０７）。ＩＰ無線アプリケーションのＳｅｒｖｉｃｅの常時動作により、音声データは直ぐに再生される。これにより、ユーザに音声データを漏れなく伝えることが可能となる。
【００４４】
更に、ＩＰ無線アプリケーションのＳｅｒｖｉｃｅにおいて、ＩＰ無線切替要求部２０５は、前記音声データの再生が開始すると、ＩＰ無線装置１０のモバイルＯＳに対して、ＩＰ無線アプリケーションへの切り替えを要求する（図３：Ｓ１０８）。この要求は、ＩＰ無線アプリケーションから行われる。
【００４５】
これに対して、モバイルＯＳにおいて、ＩＰ無線アプリ切替部２０６が、前記要求を受け付けると、ＩＰ無線アプリケーションのＡｃｔｉｖｉｔｙをフォアグラウンド状態にして、他のＩＰ無線装置１０の送信元を反映したＩＰ無線通話用画面を全面に表示させるとともに、メールアプリケーションのＡｃｔｉｖｉｔｙをフォアグラウンド状態からバックグラウンド状態にする（図３：Ｓ１０９）。ここで、ＩＰ無線アプリケーションのＡｃｔｉｖｉｔｙが、フォアグラウンド状態となると、その結果、メールアプリケーションのＡｃｔｉｖｉｔｙが、バックグラウンド状態となり、メール送受信用画面４０９の表示を隠すことになる。
【００４６】
図５Ｂに示すように、ＩＰ無線装置１０が音声データを着呼で受信すると、当該音声データがＩＰ無線装置１０のスピーカー等で直ぐに再生され、ユーザに着呼があることを直接的に知らせる。そして、ＩＰ無線装置１０の画面がメール送受信用画面４０９からＩＰ無線通話用画面４００に切り替わる。ＩＰ無線通話用画面４００のステータス表示５００は、図５Ｂに示すように、送信元（他のＩＰ無線装置１０）の「グループ０１」からの音声データの受信中の状態を示す「グループ０１  受信中」に変更される。これにより、ユーザは、メールアプリケーションでメールを作成中であっても、他のＩＰ無線装置１０からの発呼があることを直ぐに認識することが可能となり、他のＩＰ無線装置１０からの連絡を漏れなく受け取ることが可能となる。又、ＩＰ無線アプリケーションのＡｃｔｉｖｉｔｙは、他のＩＰ無線装置１０の送信元に対応してＩＰ無線通話用画面４００を表示することで、ユーザに送信元を確実に伝えることが可能となる。
【００４７】
ところで、ＩＰ無線音声再生部２０４が、他のＩＰ無線装置１０からの音声データの再生を終了すると、ＩＰ無線アプリケーションのＡｃｔｉｖｉｔｙがフォアグラウンド状態であることから、ユーザは、引き続き他のＩＰ無線装置１０と通話することが出来る。ＩＰ無線通話の形態は、例えば、個別通話、グループ通話、一斉通話、緊急通話を挙げることが出来る。
【００４８】
＜個別通話＞
例えば、他のＩＰ無線装置１０からの音声データの再生を終了すると、図６Ａに示すように、ＩＰ無線通話用画面４００のステータス表示が「グループ０１  待機中」６００になる。この状態において、ユーザが、個別通話するために、ＩＰ無線通話用画面４００の「個別」キー４０１を選択する。すると、ＩＰ無線アプリ動作部２０１は、ＩＰ無線アプリケーションのＡｃｔｉｖｉｔｙで「個別」キー４０１の選択を受け付け、ＩＰ無線アプリケーションのＳｅｒｖｉｃｅで選択指示に対応する内部処理を行わせ、ＩＰ無線アプリケーションのＡｃｔｉｖｉｔｙで個別宛先設定画面を全面に表示させる。
【００４９】
個別宛先設定画面６０１には、図６Ａに示すように、特定の宛先を入力するためのテンキー６０２と、予め登録された登録宛先を入力するための登録キー６０３と、宛先選択のためのＯＫキー６０４と、キャンセルキー６０５とが表示される。
【００５０】
ここで、ユーザが、例えば、テンキー６０２を用いて特定の宛先（例えば、「１００１」）を入力し、ＯＫキー６０４を選択すると、ＩＰ無線アプリケーションのＡｃｔｉｖｉｔｙは、特定の宛先の入力を受け付ける。特定の宛先が選択された時点では、ＩＰ無線装置１０は、サーバ１２との通信を行わずに、ＩＰ無線通話用画面４００のステータス表示は、「個別  １００１  待機中」となる。
【００５１】
この状態で、ユーザが、ＩＰ無線装置１０に設けられた特定のスイッチを押した状態、又はＩＰ無線通話用画面４００における通話用の特定のキーを選択した状態で、発音すれば、ＩＰ無線アプリ動作部２０１は、ＩＰ無線アプリケーションのＳｅｒｖｉｃｅで、ユーザの発音を音声データに変換し、サーバ１２を介して特定の宛先の他のＩＰ無線装置１０に送信する。そして、ＩＰ無線アプリ動作部２０１は、ＩＰ無線アプリケーションのＡｃｔｉｖｉｔｙで、ＩＰ無線装置１０の画面を個別宛先設定画面６０１からＩＰ無線通話用画面４００に切り替えさせる。切り替え後のＩＰ無線通話用画面４００のステータス表示は、「個別  １００１  送信中」６０６となる。一方、他のＩＰ無線装置１０は、音声データを受信すると、当該音声データを再生する。
【００５２】
＜グループ通話＞
ユーザが、特定のグループと通話するために、ＩＰ無線通話用画面４００の「グループ」キー４０２を選択する。すると、ＩＰ無線アプリ動作部２０１は、ＩＰ無線アプリケーションのＡｃｔｉｖｉｔｙで、上述と同様の処理を行って、「グループ」キー４０２の選択を受け付け、グループ設定画面を全面に表示する。
【００５３】
グループ設定画面６０７には、図６Ｂに示すように、予め登録された特定のグループを入力するためのグループ登録キー６０８と、通話開始のためのＯＫキー６０９と、キャンセルキー６１０とが表示される。
【００５４】
ユーザが、例えば、グループ登録キー６０８を用いて特定のグループ（例えば、「０２」）を入力し、ＯＫキー６０９を選択すると、ＩＰ無線アプリ動作部２０１は、ＩＰ無線アプリケーションのＡｃｔｉｖｉｔｙで特定のグループの入力を受け付ける。
【００５５】
ユーザが、上述と同様に、例えば、通話用の特定のスイッチを選択した状態で、発音すれば、ＩＰ無線アプリ動作部２０１は、ＩＰ無線アプリケーションのＳｅｒｖｉｃｅで、サーバ１２を介して特定のグループのＩＰ無線装置１０に音声データを送信する。ＩＰ無線装置１０が特定のグループと接続すると、ＩＰ無線アプリ動作部２０１は、ＩＰ無線アプリケーションのＡｃｔｉｖｉｔｙで、ＩＰ無線装置１０の画面をグループ設定画面６０７からＩＰ無線通話用画面４００に切り替える。切り替え後のＩＰ無線通話用画面４００のステータス表示は、「グループ  ０２  送信中」６１１となり、ユーザは、特定のグループに属する複数の他のＩＰ無線装置１０と通話可能の状態となる。
【００５６】
ここで、ＩＰ無線通話用画面４００のステータス表示が「グループ０１  待機中」６００である状態において、例えば、ＩＰ無線装置１０が、特定の送信先（例えば、「１０００」）の他のＩＰ無線装置１０から個別通話で音声データを受信した場合、ＩＰ無線音声再生部２０４は、受信した音声データを再生し、ＩＰ無線アプリ動作部２０１は、ＩＰ無線アプリケーションのＡｃｔｉｖｉｔｙで、「グループ０１  待機中」から「個別１０００  受信中」に移行する。音声データの再生が終了すると、ＩＰ無線アプリ動作部２０１は、ＩＰ無線アプリケーションのＳｅｒｖｉｃｅで、特定の時間（例えば、１０秒間）だけ、他のＩＰ無線装置１０との個別通話の状態を維持し、ＩＰ無線通話用画面４００のステータス表示を「個別１０００  待機中」とする。これにより、ユーザは、特定の時間内であれば、他のＩＰ無線装置１０と個別通話を行うことが可能となる。そして、特定の時間が経過後、ＩＰ無線アプリ動作部２０１は、ＩＰ無線アプリケーションのＳｅｒｖｉｃｅで、最初の（予め登録された）グループとの接続に戻し、ＩＰ無線アプリケーションのＡｃｔｉｖｉｔｙで、ＩＰ無線通話用画面４００のステータス表示を「グループ０１  待機中」とする。
【００５７】
＜一斉通話＞
ユーザがＩＰ無線装置１０で一斉通話を行う場合は、上述の処理と同様であり、ユーザが、一斉通話のためのキーを選択し、音声を発すると、ＩＰ無線装置１０が、ユーザの音声データを全てのＩＰ無線装置１０に送信する。
【００５８】
一方、ユーザが第一のＩＰ無線装置１０で特定のグループ（又は特定の宛先の第二のＩＰ無線装置１０）に音声データを送信している最中に、第三のＩＰ無線装置１０が音声データを一斉通話で送信した場合は、以下のようになる。即ち、第一のＩＰ無線装置１０のＩＰ無線アプリ動作部２０１は、先ず、ＩＰ無線アプリケーションのＳｅｒｖｉｃｅで、第二のＩＰ無線装置１０への音声データの送信を維持し、ＩＰ無線アプリケーションのＡｃｔｉｖｉｔｙで、図７Ａに示すように、ＩＰ無線通話用画面４００のステータス表示を「グループ０２  送信中」７００とする。これは、第一のＩＰ無線装置１０が第二のＩＰ無線装置１０と個別通話で接続している最中であっても同様である。これにより、ユーザの既存通話を妨害せずに済む。
【００５９】
そして、第二のＩＰ無線装置１０への音声データの送信が終了すると、ＩＰ無線アプリ動作部２０１は、ＩＰ無線アプリケーションのＡｃｔｉｖｉｔｙで、ＩＰ無線通話用画面４００のステータス表示を「グループ０２  送信中」７００から「グループ０２  待機中」７０１に移行する。この時に、第三のＩＰ無線装置１０が音声データを一斉通話で送信すると、ＩＰ無線アプリ動作部２０１は、ＩＰ無線アプリケーションのＳｅｒｖｉｃｅで、第三のＩＰ無線装置１０からの音声データを再生し、ＩＰ無線アプリケーションのＡｃｔｉｖｉｔｙで、ＩＰ無線通話用画面４００のステータス表示を「グループ０２  待機中」７０１から「一斉  受信中」７０２に移行することになる。
【００６０】
＜緊急通話＞
ユーザがＩＰ無線装置１０で緊急通話を行う場合は、一斉通話の処理とほぼ同様であるが、緊急通話の場合、音声データを受け取った他のＩＰ無線装置１０が音声データの再生とともにアラームを発する。
【００６１】
一方、ユーザが第一のＩＰ無線装置１０で特定のグループ（又は特定の宛先の第二のＩＰ無線装置１０）に音声データを送信している最中に、第三のＩＰ無線装置１０が音声データを緊急通話で送信した場合は、以下のようになる。即ち、第一のＩＰ無線装置１０のＩＰ無線アプリ動作部２０１は、先ず、ＩＰ無線アプリケーションのＳｅｒｖｉｃｅで、第二のＩＰ無線装置１０への音声データの送信を停止するとともに、第三のＩＰ無線装置１０からの音声データの受信を行う。そして、ＩＰ無線アプリ動作部２０１は、ＩＰ無線アプリケーションのＳｅｒｖｉｃｅで、第三のＩＰ無線装置１０からの音声データを再生し、アラームを発し、ＩＰ無線アプリケーションのＡｃｔｉｖｉｔｙで、図７Ｂに示すように、ＩＰ無線通話用画面４００のステータス表示を「グループ０２  送信中」７０３から「緊急  受信中」７０４に切り替える。これは、第一のＩＰ無線装置１０が第二のＩＰ無線装置１０と個別通話で接続している最中であっても同様である。緊急通話の場合、先に通話していた第二のＩＰ無線装置１０よりも第三のＩＰ無線装置１０の通話を優先させることで、ユーザに重要な情報を適切に知らせることが出来る。
【００６２】
そして、第三のＩＰ無線装置１０への音声データの送信が終了すると、ＩＰ無線アプリ動作部２０１は、ＩＰ無線アプリケーションのＡｃｔｉｖｉｔｙで、ＩＰ無線通話用画面４００のステータス表示を「緊急  受信中」７０４から「緊急  待機中」７０５に移行する。この時に、ユーザがＩＰ無線装置１０で音声データを返信すると、当該音声データは緊急通話として全てのＩＰ無線装置１０へ送信されることになる。
【００６３】
ところで、Ｓ１０２において、ユーザが、機能選択用画面４０６で、ＩＰ無線アプリケーション用のアイコン４０７を選択する、又はＩＰ無線通話用画面４００へ戻る操作を選択すると（図３：Ｓ１０２ＮＯ）、ＩＰ無線アプリ動作部２０１は、ＩＰ無線アプリケーションのＡｃｔｉｖｉｔｙをフォアグラウンド状態にする（図３：Ｓ１１０）。
【００６４】
又、Ｓ１０６において、ＩＰ無線音声受付部２０３が、他のＩＰ無線装置１０からの音声データを着呼として受信することなく（図３：Ｓ１０６ＮＯ）、ユーザが、メールアプリケーションを終了すると（図３：Ｓ１０５ＹＥＳ）、ＩＰ無線アプリ動作部２０１は、ＩＰ無線アプリケーションのＡｃｔｉｖｉｔｙをフォアグラウンド状態にする（図３：Ｓ１１０）。又、機能アプリ動作部２０２は、メールアプリケーションの動作を終了させるか、メールアプリケーションのＡｃｔｉｖｉｔｙをバックグラウンド状態にさせて、メールアプリケーションのＳｅｒｖｉｃｅの動作を継続させる。ＩＰ無線アプリケーションのＡｃｔｉｖｉｔｙがフォアグラウンド状態に切り替わった後の機能アプリケーションの動作について、特に限定は無い。
【００６５】
＜他の構成＞
ところで、既に、ＩＰ無線アプリケーションが起動していたことから、Ｓ１０９では、ＩＰ無線アプリケーションの切り替えにおいて、ＩＰ無線アプリ切替部２０６は、ＩＰ無線アプリケーションのＡｃｔｉｖｉｔｙをバックグラウンド状態からフォアグラウンド状態に切り替え、メールアプリケーションのＡｃｔｉｖｉｔｙをフォアグラウンド状態からバックグラウンド状態にしたが、この場合、下記のように構成することが出来る。
【００６６】
例えば、メールアプリケーションのＡｃｔｉｖｉｔｙがバックグラウンド状態に移行する場合は、機能アプリ動作部２０２は、メールアプリケーションのＳｅｒｖｉｃｅの動作を維持し、メールアプリケーションのＳｅｒｖｉｃｅは、メール送受信用画面４０９で入力された内容を一時保持する。この場合は、ユーザの入力途中の内容が一時保持される。そのため、例えば、ユーザーのメールアプリケーションの選択により、メールアプリケーションのＡｃｔｉｖｉｔｙがフォアグラウンド状態に移行した場合には、メールアプリケーションのＡｃｔｉｖｉｔｙが、入力途中の内容でメール送受信用画面４０９を全面に表示する。従って、ユーザは、途中であったメールの作成等を再開することが可能となる。ここで、メールアプリケーションのＡｃｔｉｖｉｔｙが、フォアグラウンド状態となると、ＩＰ無線アプリケーションのＡｃｔｉｖｉｔｙが、再度、バックグラウンド状態となり、ＩＰ無線通話用画面の表示を隠すことになる。
【００６７】
又、ＩＰ無線アプリ切替部２０６が、上述のように、前記切り替えを行った場合、図８Ａに示すように、前記フォアグラウンド状態への切り替え時点Ｔ２（他のＩＰ無線装置１０からの音声データを受信した時点）から特定の時間ＴＣ（例えば、１分、５分等）までＩＰ無線アプリケーションのＡｃｔｉｖｉｔｙをフォアグラウンド状態に維持し、メールアプリケーションのＡｃｔｉｖｉｔｙが、バックグラウンド状態となる。そして、ＩＰ無線アプリ切替部２０６が、特定の時間ＴＣ経過後（第三の時点Ｔ３）に、メールアプリケーションのＡｃｔｉｖｉｔｙをバックグラウンド状態からフォアグラウンド状態に切り替え、その結果、ＩＰ無線アプリケーションのＡｃｔｉｖｉｔｙをフォアグラウンド状態からバックグラウンド状態にしても良い。
【００６８】
例えば、ＩＰ無線アプリケーションのＡｃｔｉｖｉｔｙがバックグラウンド状態からフォアグラウンド状態に切り替わると、ＩＰ無線アプリ切替部２０６が、特定のタイマーを用いて切り替え時点Ｔ２からの経過時間をカウントし、カウントした経過時間が特定の時間ＴＣを超過するか否かを判定する。切り替え時点Ｔ２から特定の時間ＴＣまでは、ＩＰ無線アプリケーションのＡｃｔｉｖｉｔｙが、ＩＰ無線通話用画面４００を全面に表示し、ＩＰ無線アプリケーションのＳｅｒｖｉｃｅが、他のＩＰ無線装置１０への音声データの送信、又は他のＩＰ無線装置１０からの音声データの受信及び再生を行う。一方、メールアプリケーションのＡｃｔｉｖｉｔｙが、メール送受信用画面４０９の表示を隠すことになる。
【００６９】
そして、経過時間が特定の時間ＴＣを超過すると、ＩＰ無線アプリ切替部２０６が、メールアプリケーションのＡｃｔｉｖｉｔｙをフォアグラウンド状態に切り替えて、ＩＰ無線アプリケーションのＡｃｔｉｖｉｔｙは、その結果、バックグラウンド状態となる。図８Ｂに示すように、メールアプリケーションのＡｃｔｉｖｉｔｙが、ＩＰ無線通話用画面４００から、メール送受信用画面４０９を全面に切り替え表示する。
【００７０】
これにより、ユーザが他の機能アプリケーションを操作中に、ＩＰ無線アプリケーションに切り替わって、ユーザが暫く他のＩＰ無線装置１０とＩＰ無線通話したとしても、後から、他の機能アプリケーションに再度切り替わるため、ユーザが他の機能アプリケーションの操作を忘れずに再開することが出来る。
【００７１】
又、上述した切り替えについて、例えば、ＩＰ無線アプリ切替部２０６が、他のＩＰ無線装置１０からの音声データの再生が終了するまで、ＩＰ無線アプリケーションのＡｃｔｉｖｉｔｙをフォアグラウンド状態に維持し、ＩＰ無線アプリケーションのＳｅｒｖｉｃｅのＩＰ無線音声再生部２０４により当該音声データの再生が終了すると、ＩＰ無線アプリ切替部２０６は、メールアプリケーションのＡｃｔｉｖｉｔｙをバックグラウンド状態からフォアグラウンド状態に切り替え、ＩＰ無線アプリケーションのＡｃｔｉｖｉｔｙをフォアグラウンド状態からバックグラウンド状態にしても良い。この場合は、ユーザは、他のＩＰ無線装置１０からの音声を聞き終えた時点で他の機能アプリケーションに再度切り替わるため、ユーザは、途中であった他の機能アプリケーションの操作を直ぐに再開することが出来る。仮に、他のＩＰ無線装置１０からの通話に対して返答する場合には、ユーザが、ＩＰ無線アプリケーションを選択し、ＩＰ無線アプリケーションのＡｃｔｉｖｉｔｙをフォアグラウンド状態にさせれば良い。
【００７２】
又、上述では、ＩＰ無線アプリケーションとメールアプリケーションの二つの機能アプリケーションを想定したが、更に、三つ以上の機能アプリケーションを想定しても同様である。ここで、メールアプリケーションの他に、ＩＰ無線装置１０にダウンロードされた複数の機能アプリケーションのアイコンを一覧表示させ、特定の機能アプリケーションの選択を可能とするホーム画面制御アプリケーション（ランチャー）を追加した場合は、下記のようになる。
【００７３】
例えば、ユーザがＩＰ無線装置１０に電源を入れると、図９Ａに示すように、機能アプリ動作部２０２が、ホーム画面制御アプリケーションを動作し、ホーム画面制御アプリケーションのＡｃｔｉｖｉｔｙで、ホーム画面を全面に表示させ、ホーム画面制御アプリケーションのＳｅｒｖｉｃｅで、内部処理を実行させる。
【００７４】
この場合、ＩＰ無線アプリケーションのＳｅｒｖｉｃｅにおいて、ＩＰ無線音声受付部２０３が、ホーム画面制御アプリケーションの動作中に、他のＩＰ無線装置からの音声データの受信を受け付ける。
【００７５】
ホーム画面制御アプリケーションが動作すると、図９Ｂに示すように、機能アプリ動作部２０２が、ホーム画面制御アプリケーションのＡｃｔｉｖｉｔｙで、ホーム画面９００に、ＩＰ無線装置１０にダウンロードされている複数の機能アプリケーション毎のアイコンを表示させて、ユーザからアイコンの選択を受け付ける。
【００７６】
ここで、機能アプリケーションの機能は、メール送受信機能の他に、例えば、ＧＰＳ（Ｇｌｏｂａｌ  Ｐｏｓｉｔｉｏｎｉｎｇ  Ｓｙｓｔｅｍ）に基づいた位置情報を表示する位置情報表示機能、防災時に避難場所を表示して誘導する防災避難誘導機能、マラソン大会でのマニュアルを表示して閲覧出来るマラソンマニュアル機能、特定の場所に設置したネットワーク（ＮＷ）カメラの画像を取得して表示するネットワークカメラ表示機能等を挙げることが出来る。ＩＰ無線装置１０にダウンロードされる機能アプリケーションは、ＩＰ無線装置１０を扱うユーザ又はＩＰ無線装置１０を提供する提供者により適宜カスタマイズすることが出来る。
【００７７】
ユーザが、例えば、第四の時点Ｔ４において、ホーム画面９００のアイコンのうち、メールアプリケーションのアイコンを選択すると、機能アプリ動作部２０２が、メールアプリケーションを起動し、メールアプリケーションのＡｃｔｉｖｉｔｙをフォアグラウンド状態にする。又、機能アプリ動作部２０２は、ホーム画面制御アプリケーションのＡｃｔｉｖｉｔｙをフォアグラウンド状態からバックグラウンド状態に移行する。
【００７８】
この場合も、ＩＰ無線アプリケーションのＳｅｒｖｉｃｅにおいて、ＩＰ無線音声受付部２０３が、メールアプリケーションの動作中、他のＩＰ無線装置からの音声データの受信を受け付けることになる。
【００７９】
メールアプリケーションが動作すると、図９Ｂに示すように、機能アプリ動作部２０２が、メールアプリケーションのＡｃｔｉｖｉｔｙで、ホーム画面９００からメール送受信用画面４０９を表示切り替えして、ユーザからメール作成の入力を受け付ける。
【００８０】
ここで、他のＩＰ無線装置１０がＩＰ無線装置１０へ音声データを発呼として送信し、第五の時点Ｔ５において、ＩＰ無線装置１０のＩＰ無線音声受付部２０３が他のＩＰ無線装置１０からの音声データを着呼として受信した場合、ＩＰ無線音声再生部２０４は、直ぐに、当該音声データを再生する。又、ＩＰ無線切替要求部２０５は、モバイルＯＳに、ＩＰ無線アプリケーションの切り替えを要求し、ＩＰ無線アプリ切替部２０６は、ＩＰ無線アプリケーションのＡｃｔｉｖｉｔｙをフォアグラウンド状態にし、メール送受信用画面４０９からＩＰ無線通話用画面４００を表示切り替えする。これにより、他のＩＰ無線装置１０からの発呼を確実に捉える。
【００８１】
一方、機能アプリ動作部２０２は、メールアプリケーションのＡｃｔｉｖｉｔｙをフォアグラウンド状態からバックグラウンド状態に移行する。ホーム画面制御アプリケーションのＡｃｔｉｖｉｔｙはバックグラウンド状態に維持される。
【００８２】
このように、ユーザが、ＩＰ無線アプリケーションを先に動作させずに、機能アプリケーションを動作させている場合であっても、ＩＰ無線アプリケーションのＳｅｒｖｉｃｅのＩＰ無線音声受付部２０３が、常時、他のＩＰ無線装置からの音声データの受信を受け付け、他のＩＰ無線装置１０からの発呼を漏れなく捕まえることが出来る。
【００８３】
又、本発明の実施形態では、ＩＰ無線アプリケーションのＳｅｒｖｉｃｅの起動について、特に限定していないが、例えば、ＩＰ無線装置１０がＩＰ無線通話専用である場合、ＩＰ無線アプリ動作部２０１が、ＩＰ無線装置１０の電源が投入されると、モバイルＯＳにおいて、ＩＰ無線アプリケーションのＳｅｒｖｉｃｅを動作させて、他のＩＰ無線装置１０からの音声データの受信を受け付けるよう構成しても良い。これにより、ユーザが特にＩＰ無線アプリケーションを起動させなくても、ＩＰ無線装置１０の電源が入れば、ＩＰ無線アプリケーションのＳｅｒｖｉｃｅが常時動作することになる。
【００８４】
又、本発明の実施形態では、メールアプリケーションを、ＳｅｒｖｉｃｅとＡｃｔｉｖｉｔｙとで構成するようにしたが、メールアプリケーションでは、Ｓｅｒｖｉｃｅを実装しない構成も可能であるため、メールアプリケーションの構成に特に限定は無い。又、メール送受信機能以外の機能アプリケーションであっても同様である。
【００８５】
又、本発明の実施形態では、ＩＰ無線装置１０が各部を備えるよう構成したが、当該各部を実現するプログラムを記憶媒体に記憶させ、当該記憶媒体を提供するよう構成しても構わない。当該構成では、前記プログラムを装置に読み出させ、当該装置が前記各部を実現する。その場合、前記記録媒体から読み出されたプログラム自体が本発明の作用効果を奏する。さらに、各部が実行するステップをハードディスクに記憶させる方法として提供することも可能である。
【産業上の利用可能性】
【００８６】
以上のように、本発明に係るＩＰ無線装置及びＩＰ無線方法は、商業施設、公共施設、イベント、工場、防災現場、ホテル、警備等の不特定多数の人が往来する場所でその場所の管理者、主催者、警備者等が通話する場合に有用であり、ＩＰ無線アプリケーション以外の機能アプリケーションを動作させている最中であっても、他のＩＰ無線装置からの発呼に対して確実に着呼することが可能なＩＰ無線装置及びＩＰ無線方法として有効である。
【符号の説明】
【００８７】
１０  ＩＰ無線装置
１１  ネットワーク
１２  サーバ
２０１  ＩＰ無線アプリ動作部
２０２  機能アプリ動作部
２０３  ＩＰ無線音声受付部
２０４  ＩＰ無線音声再生部
２０５  ＩＰ無線切替要求部
２０６  ＩＰ無線アプリ切替部
【図１】
2017195476.tif 000003
【図２】
2017195476.tif 000004
【図３】
2017195476.tif 000005
【図４】
2017195476.tif 000006
【図５】
2017195476.tif 000007
【図６】
2017195476.tif 000008
【図７】
2017195476.tif 000009
【図８】
2017195476.tif 000010
【図９】
2017195476.tif 000011
【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
ネットワークを介してサーバにより他のＩＰ無線装置とＩＰ無線通話するＩＰ無線アプリケーションと、特定の機能を実行する機能アプリケーションとを備えたＩＰ無線装置であって、
前記ＩＰ無線アプリケーションと前記機能アプリケーションは、予めダウンロードされ、
前記ＩＰ無線装置のＯＳにおいて、前記機能アプリケーションが選択されると、前記機能アプリケーションのユーザインタフェイスに係る処理を実行するＡｃｔｉｖｉｔｙをフォアグラウンド状態にして、機能用画面を全面に表示させ、前記機能アプリケーションの内部処理を実行するＳｅｒｖｉｃｅを動作させて、当該機能アプリケーションの機能を実行させる機能アプリ動作部と、
前記ＩＰ無線アプリケーションのＳｅｒｖｉｃｅにおいて、前記機能アプリケーションの動作中に、他のＩＰ無線装置からの音声データの受信を受け付けるＩＰ無線音声受付部と、
前記他のＩＰ無線装置により音声が音声データに変換され、当該音声データが前記サーバを介して宛先の前記ＩＰ無線装置に送信された場合、前記ＩＰ無線アプリケーションのＳｅｒｖｉｃｅにおいて、前記音声データを着呼として受信すると、当該音声データの再生を開始するＩＰ無線音声再生部と、
前記ＩＰ無線アプリケーションのＳｅｒｖｉｃｅにおいて、前記音声データの再生が開始すると、前記ＩＰ無線装置のＯＳに対して、前記ＩＰ無線アプリケーションへの切り替えを要求するＩＰ無線切替要求部と、
前記ＩＰ無線装置のＯＳにおいて、前記要求を受け付けると、前記ＩＰ無線アプリケーションのＡｃｔｉｖｉｔｙをフォアグラウンド状態にして、前記他のＩＰ無線装置の送信元を反映したＩＰ無線通話用画面を全面に表示させるとともに、前記機能アプリケーションのＡｃｔｉｖｉｔｙをフォアグラウンド状態からバックグラウンド状態にするＩＰ無線アプリ切替部と、
を備えることを特徴とするＩＰ無線装置。
【請求項２】
前記ＩＰ無線装置の電源が投入されると、前記ＩＰ無線装置のＯＳが、予め登録された初期アプリケーションを動作し、
前記初期アプリケーションがＩＰ無線アプリケーションの場合、ＩＰ無線アプリ動作部が、前記ＩＰ無線アプリケーションのＡｃｔｉｖｉｔｙをフォアグラウンド状態にして、前記機能アプリケーションを選択するための特定のキーを含むＩＰ無線通話用画面を全面に表示させ、前記ＩＰ無線アプリケーションのＳｅｒｖｉｃｅにおいて、他のＩＰ無線装置からの音声データの受信及び他のＩＰ無線装置への音声データの発信を受け付け、
前記初期アプリケーションがホーム画面制御アプリケーションの場合、前記機能アプリ動作部が、前記ホーム画面制御アプリケーションのＡｃｔｉｖｉｔｙで、前記機能アプリケーション毎のアイコンを含むホーム画面を全面に表示させ、特定のアイコンが選択されると、当該アイコンのアプリケーションのＡｃｔｉｖｉｔｙをフォアグラウンド状態にする
請求項１に記載のＩＰ無線装置。
【請求項３】
前記サーバは、前記宛先が特定の宛先のみの場合、当該宛先のＩＰ無線装置のみに前記音声データを送信し、前記宛先が複数の宛先から構成されるグループの場合、当該グループに紐付けされた複数の宛先にそれぞれ対応するＩＰ無線装置に前記音声データを一斉送信し、前記他のＩＰ無線装置から緊急で音声データが前記サーバに送信された場合、前記サーバは、予め登録されている全ての宛先のＩＰ無線装置に前記音声データをそれぞれ一斉送信し、当該音声データを受信したＩＰ無線装置は、アラームを鳴らすとともに、当該音声データを再生する
請求項１又は２に記載のＩＰ無線装置。
【請求項４】
ネットワークを介してサーバにより他のＩＰ無線装置とＩＰ無線通話するＩＰ無線アプリケーションと、特定の機能を実行する機能アプリケーションとを備えたＩＰ無線装置のＩＰ無線方法であって、
前記ＩＰ無線アプリケーションと前記機能アプリケーションは、予めダウンロードされ、
前記ＩＰ無線装置のＯＳにおいて、前記機能アプリケーションが選択されると、前記機能アプリケーションのＡｃｔｉｖｉｔｙをフォアグラウンド状態にして、機能用画面を全面に表示させ、前記機能アプリケーションのＳｅｒｖｉｃｅを動作させて、当該機能アプリケーションの機能を実行させる機能アプリ動作ステップと、
前記ＩＰ無線アプリケーションのＳｅｒｖｉｃｅにおいて、前記機能アプリケーションの動作中に、他のＩＰ無線装置からの音声データの受信を受け付けるＩＰ無線音声受付ステップと、
前記他のＩＰ無線装置により音声が音声データに変換され、当該音声データが前記サーバを介して宛先の前記ＩＰ無線装置に送信された場合、前記ＩＰ無線アプリケーションのＳｅｒｖｉｃｅにおいて、前記音声データを着呼として受信すると、当該音声データの再生を開始するＩＰ無線音声再生ステップと、
前記ＩＰ無線アプリケーションのＳｅｒｖｉｃｅにおいて、前記音声データの再生が開始すると、前記ＩＰ無線装置のＯＳに対して、前記ＩＰ無線アプリケーションへの切り替えを要求するＩＰ無線切替要求ステップと、
前記ＩＰ無線装置のＯＳにおいて、前記要求を受け付けると、前記ＩＰ無線アプリケーションのＡｃｔｉｖｉｔｙをフォアグラウンド状態にして、前記他のＩＰ無線装置の送信元を反映したＩＰ無線通話用画面を全面に表示させるとともに、前記機能アプリケーションのＡｃｔｉｖｉｔｙをフォアグラウンド状態からバックグラウンド状態にするＩＰ無線アプリ切替ステップと、
を備えることを特徴とするＩＰ無線方法。
【手続補正２】
【補正対象書類名】明細書
【補正対象項目名】００１３
【補正方法】変更
【補正の内容】
【００１３】
本発明者は、鋭意研究を重ねた結果、本発明に係る新規なＩＰ無線装置及びＩＰ無線方法を完成させた。即ち、本発明に係るＩＰ無線装置は、ネットワークを介してサーバにより他のＩＰ無線装置とＩＰ無線通話するＩＰ無線アプリケーションと、特定の機能を実行する機能アプリケーションとを備えたＩＰ無線装置であって、機能アプリ動作部と、ＩＰ無線音声受付部と、ＩＰ無線音声再生部と、ＩＰ無線切替要求部と、ＩＰ無線アプリ切替部と、を備える。前記ＩＰ無線アプリケーションと前記機能アプリケーションは、予めダウンロードされる。機能アプリ動作部は、前記ＩＰ無線装置のＯＳにおいて、前記機能アプリケーションが選択されると、前記機能アプリケーションのユーザインタフェイスに係る処理を実行するＡｃｔｉｖｉｔｙをフォアグラウンド状態にして、機能用画面を全面に表示させ、前記機能アプリケーションの内部処理を実行するＳｅｒｖｉｃｅを動作させて、当該機能アプリケーションの機能を実行させる。ＩＰ無線音声受付部は、前記ＩＰ無線アプリケーションのＳｅｒｖｉｃｅにおいて、前記機能アプリケーションの動作中に、他のＩＰ無線装置からの音声データの受信を受け付ける。ＩＰ無線音声再生部は、前記他のＩＰ無線装置により音声が音声データに変換され、当該音声データが前記サーバを介して宛先の前記ＩＰ無線装置に送信された場合、前記ＩＰ無線アプリケーションのＳｅｒｖｉｃｅにおいて、前記音声データを着呼として受信すると、当該音声データの再生を開始する。ＩＰ無線切替要求部は、前記ＩＰ無線アプリケーションのＳｅｒｖｉｃｅにおいて、前記音声データの再生が開始すると、前記ＩＰ無線装置のＯＳに対して、前記ＩＰ無線アプリケーションへの切り替えを要求する。ＩＰ無線アプリ切替部は、前記ＩＰ無線装置のＯＳにおいて、前記要求を受け付けると、前記ＩＰ無線アプリケーションのＡｃｔｉｖｉｔｙをフォアグラウンド状態にして、前記他のＩＰ無線装置の送信元を反映したＩＰ無線通話用画面を全面に表示させるとともに、前記機能アプリケーションのＡｃｔｉｖｉｔｙをフォアグラウンド状態からバックグラウンド状態にする。
【手続補正３】
【補正対象書類名】明細書
【補正対象項目名】００１４
【補正方法】変更
【補正の内容】
【００１４】
本発明に係るＩＰ無線方法は、ネットワークを介してサーバにより他のＩＰ無線装置とＩＰ無線通話するＩＰ無線アプリケーションと、特定の機能を実行する機能アプリケーションとを備えたＩＰ無線装置のＩＰ無線方法であって、機能アプリ動作ステップと、ＩＰ無線音声受付ステップと、ＩＰ無線音声再生ステップと、ＩＰ無線切替要求ステップと、ＩＰ無線アプリ切替ステップと、を備える。前記ＩＰ無線アプリケーションと前記機能アプリケーションは、予めダウンロードされる。機能アプリ動作ステップは、前記ＩＰ無線装置のＯＳにおいて、前記機能アプリケーションが選択されると、前記機能アプリケーションのユーザインタフェイスに係る処理を実行するＡｃｔｉｖｉｔｙをフォアグラウンド状態にして、機能用画面を全面に表示させ、前記機能アプリケーションの内部処理を実行するＳｅｒｖｉｃｅを動作させて、当該機能アプリケーションの機能を実行させる。ＩＰ無線音声受付ステップは、前記ＩＰ無線アプリケーションのＳｅｒｖｉｃｅにおいて、前記機能アプリケーションの動作中に、他のＩＰ無線装置からの音声データの受信を受け付ける。ＩＰ無線音声再生ステップは、前記他のＩＰ無線装置により音声が音声データに変換され、当該音声データが前記サーバを介して宛先の前記ＩＰ無線装置に送信された場合、前記ＩＰ無線アプリケーションのＳｅｒｖｉｃｅにおいて、前記音声データを着呼として受信すると、当該音声データの再生を開始する。ＩＰ無線切替要求ステップは、前記ＩＰ無線アプリケーションのＳｅｒｖｉｃｅにおいて、前記音声データの再生が開始すると、前記ＩＰ無線装置のＯＳに対して、前記ＩＰ無線アプリケーションへの切り替えを要求する。ＩＰ無線アプリ切替ステップは、前記ＩＰ無線装置のＯＳにおいて、前記要求を受け付けると、前記ＩＰ無線アプリケーションのＡｃｔｉｖｉｔｙをフォアグラウンド状態にして、前記他のＩＰ無線装置の送信元を反映したＩＰ無線通話用画面を全面に表示させるとともに、前記機能アプリケーションのＡｃｔｉｖｉｔｙをフォアグラウンド状態からバックグラウンド状態にする。